(57)【要約】【課題】  複数の撮影装置、記録メディアに分散した撮影コンテンツを、１つの情報端末から参照、制御する手段を提供すること。【解決手段】  情報端末とデータ交換する無線インターフェース機能とそこから入力するデータに応じてシステムを制御する手段を設けたビデオカメラ。無線通信機能により情報端末とデータ交換をして、撮影コンテンツの情報を共有し、情報端末からの命令に従って撮影コンテンツの再生等の動作を実行するビデオカメラ。撮影に関するデータは、位置情報、撮影日時、記録メディアの識別情報を含む。【選択図】  図１
2010232948.tif 000002
【特許請求の範囲】
【請求項１】
無線通信機能を有する情報端末とデータ交換するための無線インターフェース手段と、撮影した映像データを記録再生する撮像再生手段と、撮影に関するデータを記録再生するデータ記録再生手段と、上記構成要素の動作を制御するシステム制御手段を有し、上記無線インターフェース手段を通じて、上記撮影に関するデータを入出力し、情報端末から入力されるデータに基づいて撮像再生手段を制御することを特徴とするビデオカメラ。
【請求項２】
請求項１に記載のビデオカメラにおいて、上記撮影に関するデータが位置情報、撮影日時、記録メディアの識別情報を含むことを特徴とするビデオカメラ。
【請求項３】
請求項１に記載のビデオカメラにおいて、上記無線インターフェースがデータ交換をする情報端末がテレビジョン装置であることを特徴とするビデオカメラ。
【請求項４】
請求項１に記載のビデオカメラにおいて、上記無線インターフェースがデータ交換をする情報端末が携帯電話装置であることを特徴とするビデオカメラ。
【発明の詳細な説明】
【技術分野】
【０００１】
本発明は、家庭用ビデオカメラの制御方法に関する。
【背景技術】
【０００２】
現在、家庭用ビデオカメラ製品はテープを記録媒体としたものから、DVDディスク、ハードディスク等のディスクメディア、あるいはメモリカードを記録媒体にしたものへと変化している。DVDディスクでは1時間程度、ハードディスクを使用するビデオカメラでは数時間の撮影が可能な製品が製品化されている。搭載されるハードディスクの容量も年々増加し、５０時間の記録が可能となっているものもある。記録メディアの多様化、記録時間の長時間化により、ビデオカメラの映像コンテンツは多様なメディアに分散して記録されるようになっている。
【０００３】
一方、家庭内の映像コンテンツの視聴環境は、主に放送を受信するテレビジョン装置と、放送コンテンツを記録再生あるいは市販のパッケージソフト（DVDソフト、BDソフト等）を再生するレコーダーあるいはプレーヤー、さらに映像の記録再生機能を有するパソコンの３つの装置から構成されている。テレビジョン装置自体がレコーダー機能を内蔵する製品もある。テレビジョン装置、レコーダー、パソコンはビデオカメラと映像コンテンツを移動・コピーするインターフェースがあり、ビデオカメラで撮影した映像コンテンツが結果として、テレビジョン、レコーダーあるいはパソコンの記録メディアに存在することもある。従って、ビデオカメラの映像コンテンツはビデオカメラとそのメディアに留まらず、広く多様なメディアに分散して記録されるようになっている。
【先行技術文献】
【非特許文献】
【０００４】
【非特許文献１】映像情報メディア学会誌  Vol.62, No.8, pp.1214-1223:コンシューマエレクトロニクス
【発明の概要】
【発明が解決しようとする課題】
【０００５】
上記のように、ビデオカメラの映像コンテンツは、ビデオカメラ本体の内蔵ハードディスク、メモリカード、DVD/BD光ディスク、あるいは、テレビジョン装置の内蔵ハードディスク、パソコンのハードディスクなど多様なメディアに分散して保存されている状況が容易に想定される。メディア毎の記録時間の長時間化により、ユーザーが認識するコンテンツ個数は大きな数となる。いつ、どこで、撮影した映像コンテンツが、どこに保存されているか、ユーザーの記憶による管理は困難である。最終的に１つのメディア（たとえば、光ディスクに保管するなど）に全ての映像コンテンツを集約・保管すれば、管理も容易となるが、撮影から保管の最終段階に至るまでのプロセスの途中段階に混乱が発生する。撮影後、間もない時点の状況、あるいは、複数の撮像装置で撮影し、しかも種類の異なる記録メディアに映像コンテンツが記録された状況、あるいは、最終的な保管形態に至る途中の段階で記憶があいまいになる程度の日数が経過した状況において、ユーザーが再生あるいはデータコピーを所望する映像コンテンツの記録メディアを瞬時に特定することは困難である。
【課題を解決するための手段】
【０００６】
上記解決するため、ビデオカメラ装置とは別の情報端末（たとえば、常時携行する携帯電話等）と連携するための無線インターフェース手段を設け、映像の撮影に関するデータ（撮影場所、日時、撮影内容が一目で分かる静止画像、メタデータ、記録メディア）を入出力し、情報端末から入力するデータに基づいてビデオカメラを制御するシステム制御手段を設ける。
【発明の効果】
【０００７】
上記のように、情報端末と撮影に関するデータを交換することにより、情報端末に全ての映像コンテンツの情報を集約し管理することが可能となり、情報端末により分散して保管された映像コンテンツの所在を瞬時に確認すると共に、上記ビデオカメラが情報端末と通信可能な状態にあれば、情報端末からビデオカメラを制御して、ビデオカメラ内の映像コンテンツの再生動作あるいはデータコピー動作を制御することが可能となる。これにより、ユーザーは容易に所望の映像コンテンツにアクセス可能となる。
【図面の簡単な説明】
【０００８】
【図１】実施例１の構成を示すブロック図
【図２】実施例1の撮影に関するデータ内容
【図３】実施例1のコマンドに関するデータ内容
【図４】実施例1のコマンド処理のフォローチャート
【発明を実施するための最良の形態】
【０００９】
以下、図面を用いて本発明の実施例を説明する。
【実施例１】
【００１０】
図１は本発明の実施例1の構成を示すブロック図である。
１００は光学レンズ、１０１はセンサー、１０２はエンコーダー、１０３はシステムコントローラ、１０４はメモリ、１０５は地図データモジュール、１０６はGPS部、１０７は記録ドライブ、１０９はユーザー入力部、１１０はディスプレイ部、１１１は無線インターフェース部、１１２は本装置の電源回路、１１３はバッテリーアダプタ端子、１１４はバッテリーである。
【００１１】
映像はレンズ１００を通してセンサー１０１上で結像し、電気信号となってエンコーダ１０２に供給される。エンコーダー１０２ではデジタルデータに変換するとともに、圧縮処理し、システムコントローラ１０３に供給する。システムコントローラ１０３は周辺モジュール全てを制御する処理装置である。システムコントローラ１０３に供給された映像データはメモリ１０４でバッファリングして、記録ドライブ１０７に供給する。記録ドライブ１０７は入力された映像データを記録する。記録媒体は内蔵の半導体メモリ、磁気記録のハードディスク装置、光ディスク装置等の任意のものでよい。
【００１２】
地図データモジュール１０５はシステムコントローラ１０３に要求に応じて地図データを入力する。GPS部１０６はグローバルボジショニングシステムに対応した位置検出装置であり、撮影場所に関する正確な位置情報およびカメラの方位情報を検出し、システムコントローラ１０３に入力する。システムコントローラ１０３は撮影時に映像データと前記位置情報と方位情報を混合し、記録ドライブ１０７に記録する。地図データモジュール１０５およびGPS部１０６は撮影場所の情報を利用するためのものである。
【００１３】
ユーザー入力部１０９はユーザーの操作を受け付けるモジュールであり、記録開始/停止ボタン、撮影モード切替えスイッチ、再生開始ボタン等の複数の入力モジュールから構成する。前記ユーザー入力部の入力データはシステムコントローラ１０３に供給され、ユーザー操作に対応した処理を実行する。
【００１４】
メモリ１０４は前記のように映像データのバッファとして使用する以外に、システムコントローラ１０３が使用するプルグラムおよびデータの格納先としても使用する。
【００１５】
ディスプレイ部１１０は撮影時には撮影中の映像を、再生時には再生中の映像を表示すると同時に、ユーザーが操作に必要なデータ、たとえば日時、記録時間、記録媒体の残量、バッテリー残量等の各種撮影データの表示先としても使用する。
【００１６】
無線インターフェース１１１は映像データあるいはその他の撮影に関するデータを携帯電話等の無線インターフェースを有する情報端末と通信するためのインターフェースである。記録時、記録ドライブ１０７にて記録する替りに、無線ネットワーク経由で相手先に送り、そこで映像データを記録することも可能である。本装置各部へ送る電力は電源回路１１２で生成する。
【００１７】
電力供給源として、外付けのバッテリー１１４があり、バッテリーアダプター端子１１３を経由して電源回路１１１に接続している。
【００１８】
ユーザー入力部１０９より撮影動作が指示された場合、システムコントローラ１０３はエンコーダー１０２で映像を符号化し、符号化したデータを記録ドライブ１０７に送り、記録ドライブ１０７がデータを記録する。再生された映像データは、メモリ１０４にバッファリングし、エンコーダ１０２で伸張処理を施し、映像信号としてディスプレイ部１１０に送り、そこで映像表示する。
【００１９】
ユーザー入力部１０９より再生動作が指示された場合、システムコントローラ１０３は記録ドライブ１０７に記録された映像データとそれに対応するデータを再生する。再生された映像データは、メモリ１０４にバッファリングし、エンコーダ１０２で伸張処理を施し、映像信号としてディスプレイ部１１０に送り、そこで映像表示する。
【００２０】
図2は実施例1でシステムコントローラ１０３がメモリ１０４に保持し、無線インターフェース１１１を介して通信するデータ内容である。メディア種別２０１と識別コード２０２は、映像コンテンツが記録されているメディアを識別するデータであり、プログラム番号２０３はある記録メディア内のコンテンツ識別のコードであり、日時２０４は撮影日時を、時間２０５は撮影時間の長さを示す。GPS２０６はGPS部１０６で取得した撮影場所の緯度経度データである。メタデータ２０７は撮影コンテンツのタイトル情報、撮影条件、静止画などの付加的情報である。
【００２１】
メディア種別２０１と識別コード２０２により完全にユニークにメディアを特定することができる。内蔵ハードディスクの場合は、ビデオカメラ等の装置の識別番号により特定できる。メモリカード、光ディスクなどのリムーバブルメディアの場合は、メディア種別に加えて、メディア毎の識別コードで区別する。
【００２２】
図2のデータを各ビデオカメラがデータ保持し、1台あるいは複数台のビデオカメラからのデータを情報端末が取得することができる。情報端末は、ビデオカメラから収集したデータに基づいて、撮影した映像コンテンツの一覧を作成し、ユーザーが指定した映像コンテンツの情報を瞬時に表示することができる。一例としては、日付、撮影場所、静止画像により一覧をグラフィカル表示し、ユーザーが指定したコンテンツについて、記録メディアの情報を表示する。
【００２３】
図３は実施例1で情報端末から入力する命令に関するデータ内容である。無線インターフェース１１１を経由して入力するデータに基づいて、システムコントローラ１０３が処理を行う。コマンド３０１は命令内容の種類、データペイロード３０２はコマンド毎の実行時パラメータ、レスポンス３０３は実行結果など情報端末に返信するデータ内容である。コマンド３０１には、図3に例を示す命令の種類があり、ビデオカメラ、記録メディア、コンテンツに関する情報取得のためのコマンドのほか、再生・ダビングを指示するコマンドが含まれる。本実施例では、情報端末をホストとして、送信されたコマンドをビデオカメラが処理する例を示している。情報端末は、各種の情報取得コマンドを使用して、コンテンツ情報を取得して、コンテンツ一覧を作成し、ユーザーから指示されたコンテンツに対して、再生・ダビング等の制御を実行するよう命令を伝えることができる。
【００２４】
図４はシステムコントローラ１０３が情報端末からのデータを処理するフローチャートを示すものである。コマンド1つ毎に端子４０１から端子４０９までの処理を繰り返し実行する。４０２で無線インターフェース１１１による通信から１コマンド分の通信データを取得する。４０３，４０４の条件分岐でコマンドおよびデータペイロードが正常であることを確認し、正常であれば、４０５でコマンド実行を行う。正常動作した場合は、４０７でステータス応答を通信する。処理中にエラーが発生した場合は、４０８の通信処理でエラー内容を情報端末に通知する。１コマンド毎の処理を繰り返し実行する。
【００２５】
上記のように情報端末と連携して、撮影した映像コンテンツに関する情報を一括管理し、情報端末からの命令を処理可能とすることにより、分散して保管された撮影した映像コンテンツの所在を瞬時に確認すると共に、上記ビデオカメラが情報端末と通信可能な状態にあれば、情報端末からビデオカメラを制御して、ビデオカメラ内の映像コンテンツの再生動作等の動作を制御することが可能となる。
【産業上の利用可能性】
【００２６】
本発明の適用により、複数のビデオカメラあるいは記録メディアのコンテンツを情報端末で一括管理し、ユーザーの撮影した映像コンテンツの情報取得、所在の確認、再生等の制御を容易に行うことができ、ビデオカメラの使い勝手が向上する。
【符号の説明】
【００２７】
１１２・・・電源回路
１１３・・・バッテリーアダプタ端子
１１４・・・バッテリー
１００・・・光学レンズ
１０１・・・センサー
１０２・・・エンコーダー
１０３・・・システムコントローラ
１０４・・・メモリ
１０５・・・地図データモジュール
１０６・・・GPS部
１０７・・・記録ドライブ
１０９・・・ユーザー入力部
１１０・・・ディスプレイ部
１１１・・・無線インターフェース部
【図１】
2010232948.tif 000003
【図２】
2010232948.tif 000004
【図３】
2010232948.tif 000005
【図４】
2010232948.tif 000006